(57)【要約】【課題】本発明はマイクロコンピュータを用いた加熱調理器に関するものであり、加熱室内の温度が高温に上昇した場合、ドアをロックさせ、不用意にドアを開けさせないこととし、安全性の向上を目的とする。【解決手段】ドア２を有する加熱室３と、加熱手段９と、制御手段７と、温度検出手段１０と、入力手段５と、表示手段４と、ドアロック手段１１とを備え、前記ドアロック手段１１は、前記温度検出手段１０により検出される加熱室内の温度によりドア２をロック、又は、解除できる構成とし、加熱室３が高温の時、不用意にドアを開けさせないことができる。【選択図】  図２
2004198077.tif 000002
【特許請求の範囲】
【請求項１】
ドアを有し、被加熱物を収納する加熱室と、前記被加熱物を加熱する加熱手段と、前記加熱手段を制御する制御手段と、前記加熱室内の温度を検出する温度検出手段と、加熱出力の種類や加熱時間等を設定する為の入力手段と、設定された各種条件を表示する表示手段と、前記加熱室のドアをロックする為のドアロック手段とを備え、前記ドアロック手段は、前記温度検出手段により検出される加熱室内の温度に応じてドアをロック、又は、解除することを特徴とした加熱調理器。
【請求項２】
入力手段は、ドアロック解除キーを有し、ドアロック手段により加熱室のドアがロックされている状態で、前記ドアロック解除キーを入力すると、ドアのロックが解除され、一定時間経過後、再びドアがロックされることを特徴とした請求項１に記載の加熱調理器。
【請求項３】
表示手段は、ドアロック手段によりドアがロックされている状態とドアロック解除キーによりドアロックが解除されている状態とが区別できる表示を行うことを特徴とした請求項１に記載の加熱調理器。
【請求項４】
ドアロック手段は、ドアロック無しから有りの状態になった場合とドアロック有りから無しの状態になった場合の各々において、一定時間の間、ドアロックの状態を保持することを特徴とした請求項１に記載の加熱調理器。
【発明の詳細な説明】
【０００１】
【発明の属する技術分野】
本発明は、マイクロコンピュータを用いた加熱調理器に関するものである。
【０００２】
【従来の技術】
マイクロコンピュータによって制御される加熱調理器において、ヒータ使用により、ヒータ表面、及び、加熱室内の温度が高温となり、使用者が不用意にドアを開けると非常に危険である。近年、コンビニエンスストア等で、お客様自らが加熱調理器を使用する場合も増加してきている為、安全対策が求められている。
【０００３】
従来、安全性を確保する為、ヒータの表面温度が基準温度値以上の時、ドアを開けると警報装置により警報するものがある（例えば、特許文献１参照）。しかしながら、警報のみでは、安全に対して不十分である。それに対して、本発明は、加熱室内の温度が高温の場合、ドアをロックし、不用意にドアを開けさせないものである。
【０００４】
また、ドアをロックする出願としては、ドアを閉じた時、ドアをロックし、ドアを開けた時に電源回路のドアスイッチを電磁コイルによってＯＦＦさせ、電源スイッチが容着等によって閉成された場合にドアスイッチがＯＦＦすることで電源回路をＯＦＦし、安全性を確保できるものがある（例えば、特許文献２参照）。それに対して、本発明は、加熱室内の温度が高温の場合、電磁コイル（ソレノイド）によりドアを吸着させることで、不用意にドアを開けさせないことを目的としている。
【０００５】
【特許文献１】
特開平１０−２０５７１１号公報
【特許文献２】
特開平０５−０８７３４７号公報
【０００６】
【発明が解決しようとする課題】
上記のように、従来の加熱調理器においては、ヒータ調理等を実行し、加熱室内の温度が高温に上昇した場合、その事実を知らない第３者が不用意に加熱室のドアを開けてしまう場合があり、非常に危険であった。そこで、本発明は、調理実行中を含む全ての動作状態において、加熱室内の温度が高温に上昇した場合、ドアをロックさせ、不用意にドアを開けさせないこととし、安全性の向上を第一の目的とする。
【０００７】
次に、加熱調理器の使用者が、ドアのロックがされている状態、すなわち、加熱室内が高温の場合において、さらに続けて加熱調理を希望する場合には、加熱室内の温度が低温となり、ドアのロックが解除されるまで待つ必要があり、非常に使い勝手が悪くなってしまう。そこで、本発明は、ドアロック解除キーを設け、使用者が、ドアロックされている状態で、ドアロック解除キーを入力すると、ドアロックが解除され、加熱室が高温の場合でも、ドアを開けることができ、続けて調理が実行できるようにしている。そして、一定時間経過後、加熱室が高温であれば再び、ドアロックすることとし、操作性の向上を第二の目的とする。
【０００８】
また、ドアロックがされている状態とドアロック解除キーによりドアロックが解除されている状態とを区別して表示させなければ、使用者は、どちらの状態であるか判断できず、使い勝手が悪くなり、かつ、非常に危険である。そこで、本発明は、ドアロックされている状態とドアロック解除キーによりドアロックが解除されている状態とを区別して表示させることで、加熱調理器の状態が理解しやすくなり、安全に調理ができることを第三の目的とする。
【０００９】
さらに、加熱室内の温度に応じてドアロックする場合とドアロックを解除する場合とを区別している為、その境界温度付近に検出温度が達した場合、ロック有りとロック無しが連続的に発生することとなり、非常に使い勝手が悪くなってしまう。そこで、本発明は、ドアロック無しから有りの状態になった場合とドアロック有りから無しの状態になった場合の各々において、一定時間の間、ドアロックの状態を保持することとし、使い勝手の良い加熱調理器を提供することを第四の目的とする。
【００１０】
【課題を解決するための手段】
上記課題を解決するために、本発明の加熱調理器は、下記の構成とした。すなわち、ドアを有し、被加熱物を収納する加熱室と、前記被加熱物を加熱する加熱手段と、前記加熱手段を制御する制御手段と、前記加熱室内の温度を検出する温度検出手段と、加熱出力の種類や加熱時間等を設定する為の入力手段と、設定された各種条件を表示する表示手段と、前記加熱室のドアをロックする為のドアロック手段とを備え、前記ドアロック手段は、前記温度検出手段により検出される加熱室内の温度に応じてドアをロック、又は、解除することができるものとした。これによって、調理実行中を含む全ての動作状態において、加熱室内の温度が高温に上昇した場合、ドアをロックさせ、不用意にドアを開けさせないことができ、安全性が向上するのである。
【００１１】
【発明の実施の形態】
請求項１に記載の発明は、ドアを有し、被加熱物を収納する加熱室と、前記被加熱物を加熱する加熱手段と、前記加熱手段を制御する制御手段と、前記加熱室内の温度を検出する温度検出手段と、加熱出力の種類や加熱時間等を設定する為の入力手段と、設定された各種条件を表示する表示手段と、前記加熱室のドアをロックする為のドアロック手段とを備え、前記ドアロック手段は、前記温度検出手段により検出される加熱室内の温度に応じてドアをロック、又は、解除することができることにより、調理実行中を含む全ての動作状態において、加熱室内の温度が高温に上昇した場合、ドアをロックさせ、不用意にドアを開けさせないことにより、安全性を向上することができる。
【００１２】
請求項２に記載の発明は、特に、請求項１に記載の入力手段において、入力手段は、ドアロック解除キーを有し、ドアロック手段により加熱室のドアがロックされている状態で、前記ドアロック解除キーを入力すると、ドアのロックが解除され、一定時間経過後、再びドアがロックされることにより、使用者は、加熱室が高温の場合でも、ドアのロックを解除することができ、続けて調理が可能である。そして、一定時間経過後、加熱室が高温であれば再び、ドアがロックする為、安全に使用することができる。
【００１３】
請求項３に記載の発明は、特に、請求項１に記載の表示手段において、表示手段は、ドアロック手段によりドアがロックされている状態とドアロック解除キーによりドアロックが解除されている状態とが区別できる表示を行うことにより、使用者にとって、加熱調理器の状態が理解しやすくなり、安全に調理することができる。
【００１４】
請求項４に記載の発明は、特に、請求項１に記載のドアロック手段において、ドアロック手段は、ドアロック無しから有りの状態になった場合とドアロック有りから無しの状態になった場合の各々において、一定時間の間、ドアロックの状態を保持することにより、加熱室内の温度がドアロックするか否かの境界温度付近に達した場合でも、ロック有りとロック無しが連続的に発生することがなく、使い勝手を良くすることができる。
【００１５】
【実施例】
図１は加熱調理器の概略図である。図２は本発明の制御回路のブロック図である。図３はドアロック時の表示画面である。図４はドアロック解除キー６によるドアロック解除時の表示画面である。図５はドアロック機構の概念図（上図）である。図６は加熱室温度の加熱時間に対する温度変化図である。図７は、ドアロック設定キーを有する加熱調理器の概略図である。図８は、ドアロック表示マークを有するドアロック時の表示画面図である。図９は、調理終了表示図である。図１０は、ドアロックＬＥＤを有する加熱調理器の概略図である。
【００１６】
図１に示すように加熱調理器１は、ドア２を有する、被加熱物を収納する為の加熱室３と加熱出力の種類や加熱時間等を表示する為の表示手段４を有し、各種条件の設定等に使用する入力手段５を有している。そして、入力手段５は、ドアロックを解除する為のドアロック解除キー６を有している。
【００１７】
図２は制御回路のブロック図であり、本発明の加熱調理器１は制御手段７により制御される。そして、制御手段７はマイクロコンピュータ８を有しており、マイクロコンピュータ８のプログラムにより実際の制御を行う。
【００１８】
マイクロコンピュータ８は、キーボード等の入力手段５から如何なるキーが押されたかのキー情報を読み込む。そして、その入力されたキー情報に基づいて表示手段４及び加熱手段９、ドアロック手段１１を駆動する。また、マイクロコンピュータ８は、温度検出手段１０から加熱室の温度情報を読み込む。そして、入力した温度情報に基づいてドアロック手段１１を駆動する。
【００１９】
図３はドアロック時の表示画面である。加熱室の温度が高温でドアロックしている場合の表示を示し、他の状態と区別する。
【００２０】
図４はドアロック解除キー６によるドアロック解除時の表示画面である。ドアロックが解除されている場合の表示を示し、他の状態と区別している。
【００２１】
図５はドアロック機構の概念図（上図）であり、ドアロック時、ソレノイド１４を駆動させ、鉄心１５を吸着させることで、ドアロック凸金具１３をソレノイド１４側に引き寄せ、ドア側のドアロック凹金具１２に挿入することでドア２を加熱室３にロックさせる。
【００２２】
図６は、加熱室温度の加熱時間に対する温度変化図で、横軸を調理スタートからの加熱時間とし、縦軸を加熱室３の温度としている。
【００２３】
図７は、ドアロック解除キーとは、別に、ドアロック設定キー１６を有する加熱調理器の概略図である。
【００２４】
図８は、ドアロック表示マーク１７を有するドアロック時の表示画面図であり、調理実行中の場合のように図３の表示画面を用いて、ドアロック状態を示せない場合において、ドアロックが働いていることを示すものである。
【００２５】
図９は、調理終了表示図である。調理終了後、食品の取り忘れ防止の為、表示している。
【００２６】
図１０は、ドアロックＬＥＤ１８を有する加熱調理器の概略図であり、ドアロックが働いていることを示すものである。
【００２７】
上記の構成において以下に実施例を順次説明していく。
【００２８】
（実施例１）
図２の温度検出手段１０は加熱室３の温度を検出し、温度情報を制御手段７に与えている。制御手段７のマイクロコンピュータ８は、入力された温度情報がドアロックの働く、ドアロック温度に到達しているかを判断する。そして、検出温度がドアロック温度に到達した場合、ドアロック手段１１を駆動し、ドアをロックさせる。ドアロック手段１１は、図５の概略図のようになっており、ドアロックが働く場合、まず、ソレノイド１４が駆動し、鉄心１５を吸着させることで、ドアロック凸金具１３がソレノイド１４側に引き寄せられる。そして、ドア２側のドアロック凹金具１２にドアロック凸金具１３が挿入されドア２はロックされる。したがって、使用者がヒータ調理等を実行した場合に、加熱室３が高温となった時、ドア２をロックさせ、第３者に不用意にドアを開けさせないことができるのである。
【００２９】
また、ドアロックが働くドアロック温度は各使用者の使用実態に合わせて外部から入力手段５により温度変更が可能である。従って、使用者はドアロック温度を低く設定することでより安全に使用することができるのである。
【００３０】
（実施例２）
使用者がヒータ調理等を実行し、加熱室３が高温となり、ドア２がロックされている場合において、さらに続けて調理の実行を希望する時には、ドアロック解除キー６を入力する。
【００３１】
ドアロック解除キー６のキー入力情報は、図２の入力手段５を通じて、制御手段７に送られる。制御手段７のマイクロコンピュータ８は、ドアロック解除キー６のキー入力情報を受け取ると一定時間の間、ドアロック解除の判断をし、ドアロック手段１１に対してドアロック解除の指令を出す。ドアロック手段１１は、ドアロック解除の指令を受け取ると、図５のソレノイド１４を停止させる。ソレノイド１４が停止することで、ソレノイド１４による鉄心１５の吸着がなくなり、ドアロック凸金具１３がソレノイド１４とは反対側に戻る。それにより、ドア２のドアロック凹金具１２からドアロック凸金具１３が外れることになり、ドアロックが解除される。また、ドアロック解除キー６の入力から一定時間経過すると制御手段７のマイクロコンピュータ８は、ドアロック手段１１に対してドアロックの指令を出す。ドアロック手段１１は、ドアロックの指令を受け、再び、図５のソレノイド１４を駆動させる。ソレノイド１４が駆動することで、鉄心１５が吸着し、ドアロック凸金具１３がソレノイド１４側に引き寄せられる。それにより、ドア２側のドアロック凹金具１２にドアロック凸金具１３が挿入され、ドア２は再び、ロックされる。したがって、使用者は、加熱室が高温の場合でも、ドアロック解除キー６を入力することでドアロックが解除でき、続けて調理が可能である。そして、一定時間経過後、加熱室が高温であれば再び、ドアロックし、安全に使用できるのである。
【００３２】
また、入力手段５にドアロック解除キー６とは別にドアロック設定キー１６を新たに設けた、他の実施の形態もあり得る。図７にドアロック設定キー１６を追加した加熱調理器の概略図を示す。この場合、加熱室の温度に関わらず、調理中を含む全ての動作状態において使用者以外の第３者に不用意にドアを開けさせない為、使用者の意志によりドアロック設定キー１６を入力することでドアをロックすることができるものである。こうすることで、より一層、安全に使用できるのである。
【００３３】
（実施例３）
ドアロックしている場合、図２の表示手段４は図３の表示を行う。そして、ドアロック解除キー６の入力により、ドアロックが解除されている場合には、図２の表示手段４は図４の表示を行う。よって、使用者にとっては、ドアロックしている場合とドアロック解除キー６によりドアロックが解除されている場合とを区別して表示させることで、加熱調理器の動作状態が解りやすくなり、安全に調理ができるのである。
【００３４】
また、ヒータ調理等を実行している途中で加熱室の温度が高温となりドアがロックされている場合において、調理実行中には、調理の進行状況を示す残り時間表示等を行う必要があり、図３の表示が行えない。従って、調理実行中は、図８に示すようなドアロック表示マーク１７を点灯させ、ドアロック状態を示す。さらに、調理終了後、食品の取り忘れ防止の為、図９のような終了表示を行っている為、加熱室が高温でドアロックが働いている場合において、調理終了時には、図３の表示が行えない。従って、調理終了後は図９の終了表示と図３のドアロック表示を交互に点灯させるものである。よって、こうすることで使用者は、さらに安全に調理ができるのである。
【００３５】
また、さらに、ドアロック状態を図３、図８のようにＬＣＤや蛍光表示管等を用いて表示する方法以外に他の実施の形態として、図１０のドアロック状態を示すドアロックＬＥＤ１８を設けることでも可能である。
【００３６】
（実施例４）
図６は、加熱室温度の加熱時間に対する温度変化図であり、横軸を調理開始からの加熱時間とし、縦軸を加熱室３の温度としている。加熱室３の温度が低温の状態から、使用者がヒータ調理等を実行した場合、加熱室３の温度は徐々に上昇していく。調理開始からドアロック温度に到達するまでの区間を図６において、ドアロック解除状態Ａとする。図６のドアロック解除状態Ａにおいて、加熱時間経過と共に加熱室３の温度が上昇し、ドアのロックが働くドアロック温度に到達した時、ドアロックがかかり、図６のドアロック有り状態Ｂに移行する。そして、この時、マイクロコンピュータ８は、ドアロック判定マスク時間Ｔを設定する。マイクロコンピュータ８は、マスク時間Ｔをカウントし、マスク時間中は、ドアロック判定を行わない。従って、図６のドアロック有り状態Ｂにおいて、加熱室の温度がドアロック温度に対して、上昇、下降を繰り返した場合においてもマスク時間Ｔ中はドアロックの状態を保持するのである。そして、ドアロック有り状態Ｂにおいて、ドアロック判定マスク時間Ｔ経過後、マイクロコンピュータ８はドアロック判定を行う。そして、図６のように、加熱室３の温度がドアロック温度未満となっている時は、ドアロック解除状態Ｃに移行するのである。従って、こうすることで、ドアロック無しから有りの状態になった場合とドアロック有りから無しの状態になった場合の各々において、ドアロック判定マスク中、ドアロックの状態を保持する為、使い勝手が良いのである。
【００３７】
【発明の効果】
以上の説明から明らかなように、本発明によれば、下記の効果がある。
【００３８】
（１）加熱室内の温度が高温に上昇した場合、ドアをロックさせ、不用意にドアを開けせないこととし、安全性が向上する。
【００３９】
（２）ドアロック解除キーを設け、使用者が、ドアロックされている状態で、ドアロック解除キーを入力すると、ドアロックが解除され、加熱室が高温の場合でも、続けて調理が実行できるようにしている。そして、一定時間経過後、加熱室が高温であれば再び、ドアロックすることとし、操作性が向上する。
【００４０】
（３）ドアロックされている状態とドアロック解除キーによりドアロックが解除されている状態とを区別して表示させることで、加熱調理器の状態が理解しやすくなり、安全に調理ができるのである。
【００４１】
（４）ドアロック無しから有りの状態になった場合とドアロック有りから無しの状態になった場合の各々において、一定時間の間、ドアロックの状態を保持することとし、使い勝手の良い加熱調理器を提供できる。
【図面の簡単な説明】
【図１】本発明の実施例における加熱調理器の概略図
【図２】本発明の実施例における制御回路のブロック図
【図３】本発明の実施例におけるドアロック時の表示画面図
【図４】本発明の実施例におけるドアロック解除キーによるドアロック解除時の表示画面図
【図５】本発明の実施例におけるドアロック機構の概念図（上図）
【図６】本発明の実施例における加熱室温度の加熱時間に対する温度変化図
【図７】本発明の実施例におけるドアロック設定キーを有する加熱調理器の概略図
【図８】本発明の実施例におけるドアロック表示マークを有するドアロック時の表示画面図
【図９】本発明の実施例における調理終了表示図
【図１０】本発明の実施例におけるドアロックＬＥＤを有する加熱調理器の概略図
【符号の説明】
１  加熱調理器
２  ドア
３  加熱室
４  表示手段
５  入力手段
６  ドアロック解除キー
７  制御手段
８  マイクロコンピュータ
９  加熱手段
１０  温度検出手段
１１  ドアロック手段
１２  ドアロック凹金具
１３  ドアロック凸金具
１４  ソレノイド
１５  鉄心
１６  ドアロック設定キー
１７  ドアロック表示マーク
１８  ドアロックＬＥＤ
【図１】
2004198077.tif 000003
【図２】
2004198077.tif 000004
【図３】
2004198077.tif 000005
【図４】
2004198077.tif 000006
【図５】
2004198077.tif 000007
【図６】
2004198077.tif 000008
【図７】
2004198077.tif 000009
【図８】
2004198077.tif 000010
【図９】
2004198077.tif 000011
【図１０】
2004198077.tif 000012